(57)【要約】【課題】精度よく調整することができ、且つ部品の損傷を防止できる表示機構、時計用ムーブメント、及び機械式時計を提供する。【解決手段】曜回し爪１４と、曜回し爪１４に噛合される曜伝え車１７と、曜伝え車１７の回転に伴って回転する作動カム２１と、作動カム２１に形成されているカム面２２に接触し、作動カム２１の回転に伴って揺動するカム従節２５と、カム従節２５の揺動に伴って往復動する曜針６とを備え、作動カム２１を逆転方向へ回転させるように曜回し爪１４が回転する際、この曜回し爪１４と曜伝え車１７との噛合いを解除することにより作動カム２１の逆転方向への回転が抑制される抑制機構５０を備えた。【選択図】図２
2014062784.tif 000002
【特許請求の範囲】
【請求項１】
外部からの動力に応じて回転する駆動歯車と、
前記駆動歯車に噛合される従動歯車と、
前記従動歯車の回転に伴って回転し、カム従節が接触するカム面が形成されている作動カムと、
前記カム従節の変位に伴って揺動し、表示部に情報を表示するための指示部とを備え、
前記カム面には、
前記従動歯車が一方向に回転されたときに、前記作動カムの回転中心から前記カム従節との接触点を離間させる方向に向かって前記カム従節を変位させる作動面が形成されていると共に、
前記従動歯車が一方向に回転されたときに、前記作動カムの回転中心から前記接触点を接近させる方向に向かって前記カム従節を変位させる段差面が形成され、
前記従動歯車を他方向へ回転させる前記外部からの動力が、前記駆動歯車に伝達される際、この駆動歯車と前記従動歯車との噛合いを解除することにより前記従動歯車の他方向への回転が抑制される抑制機構を備えたことを特徴とする表示機構。
【請求項２】
前記抑制機構は、前記駆動歯車を揺動させることにより、この駆動歯車と前記従動歯車との噛合いを解除するように構成されていることを特徴とする請求項１に記載の表示機構。
【請求項３】
前記抑制機構は、
前記駆動歯車を支持する駆動軸と、
前記駆動軸の両端を回転自在に支持する一対の支持板と、
前記駆動歯車に摩擦抵抗力を付勢する揺動押さえばねとにより構成され、
前記一対の支持板に、前記駆動軸の径方向への揺動を許容する長孔が形成されていることを特徴とする請求項２に記載の表示機構。
【請求項４】
前記作動カムの前記カム面は、前記作動カムの回転中心から外周方向へ向かう半径が、最小値から最大値の間の値をとって、円周方向に連続して変化するように形成されており、
この連続して変化する面を前記作動面とすると共に、前記段差面を前記作動面の最大値と最小値とを結ぶ面としたことを特徴とする請求項１〜請求項３の何れか１項に記載の表示機構。
【請求項５】
前記駆動歯車は、２４時間車、及び曜回し爪であり、
前記従動歯車は、曜伝え車であり、
前記指示部は、曜日を表示するように構成され、
前記曜伝え車の回転を規制する曜ジャンパを備えたことを特徴とする請求項１〜請求項４の何れか１項に記載の表示機構。
【請求項６】
請求項１〜請求項５の何れか１項に記載の表示機構と、
前記駆動歯車を駆動させる動力部とを備えたことを特徴とする時計用ムーブメント。
【請求項７】
請求項６に記載の時計用ムーブメントを備えたことを特徴とする機械式時計。
【発明の詳細な説明】
【技術分野】
【０００１】
この発明は、表示機構、時計用ムーブメント、及び機械式時計に関するものである。
【背景技術】
【０００２】
従来から、曜日等を扇形の目盛りで表示し、この目盛りを指す指針が、時計回りの正転運針後、直ちに反時計回りの逆転運針を繰り返す、所謂レトログラード表示機構を備えた機械式時計が知られている。
レトログラード表示機構としては、例えば、筒車からの回転が伝達される２４時間車と、この２４時間車と一体となって回転する曜回し爪（曜送り爪）と、曜回し爪に噛合される曜伝え車（曜中間車）と、曜伝え車と同軸上に配置され、この曜伝え車と一体的に回転する作動カムと、この作動カムに接触するカム従節（レバー）とを備えたものがある。そして、カム従節の変位に伴って指針が運針されるようになっている。
【０００３】
作動カムは、順方向の回転角の増大に応じて径が大きくなるようにカム面が形成されていると共に、このカム面が最大径部から最小径部に戻るところに径方向に沿って段差面が形成されている。そして、これらカム面、及び段差面上をカム従節が摺動することにより、指針が往復運動する。
【０００４】
ところで、このように構成されたレトログラード表示機構において、指針の調整を行う場合、作動カムを逆転させる方向で調整しようとすると、カム従節が作動カムの段差面に対して突っ張り状態となってしまい、カム従節が損傷してしまう虞がある。このため、作動カムの逆転を避けるためのさまざまな技術が提案されている。
例えば、曜回し爪を弾性変形可能に構成し、曜伝え車を一方向（正転方向）に回転させる際には、この曜伝え車と曜回し爪とが噛合され、曜伝え車を他方向（逆転方向）に回転させる際には、曜回し爪が弾性変形して曜伝え車と噛合されないように構成されたものが開示されている（例えば、特許文献１参照）。
【先行技術文献】
【特許文献】
【０００５】
【特許文献１】特開２００６−２２６９９０号公報
【発明の概要】
【発明が解決しようとする課題】
【０００６】
しかしながら、上述の従来技術にあっては、曜回し爪を弾性変形可能に構成するので、この分、剛性が弱くなり、調整した曜伝え車や指針の回転位置がずれやすくなるという課題がある。
また、曜回し爪が弾性変形したままの状態で曜回し車が停止すると、曜回し爪に応力がかかり続け、曜回し爪が損傷してしまう虞があるという課題がある。
【０００７】
そこで、この発明は、上述した事情に鑑みてなされたものであって、精度よく調整することができ、且つ部品の損傷を防止できる表示機構、時計用ムーブメント、及び機械式時計を提供するものである。
【課題を解決するための手段】
【０００８】
上記の課題を解決するために、本発明に係る表示機構は、外部からの動力に応じて回転する駆動歯車と、前記駆動歯車に噛合される従動歯車と、前記従動歯車の回転に伴って回転し、カム従節が接触するカム面が形成されている作動カムと、前記カム従節の変位に伴って揺動し、表示部に情報を表示するための指示部とを備え、前記カム面には、前記従動歯車が一方向に回転されたときに、前記作動カムの回転中心から前記カム従節との接触点を離間させる方向に向かって前記カム従節を変位させる作動面が形成されていると共に、前記従動歯車が一方向に回転されたときに、前記作動カムの回転中心から前記接触点を接近させる方向に向かって前記カム従節を変位させる段差面が形成され、前記従動歯車を他方向へ回転させる前記外部からの動力が、前記駆動歯車に伝達される際、この駆動歯車と前記従動歯車との噛合いを解除することにより前記従動歯車の他方向への回転が抑制される抑制機構を備えたことを特徴とする。
【０００９】
このように構成することで、従来のように、駆動歯車や従動歯車の剛性を弱めることなく、従動歯車の他方向への回転を抑制することができる。このため、作動カムの回転位置を精度よく調整することができると共に、駆動歯車や従動歯車の損傷を防止することができる。
【００１０】
本発明に係る表示機構は、前記抑制機構は、前記駆動歯車を揺動させることにより、この駆動歯車と前記従動歯車との噛合いを解除するように構成されていることを特徴とする。
【００１１】
このように構成することで、駆動歯車と従動歯車との噛合いを容易に解除することができる。
【００１２】
本発明に係る表示機構は、前記抑制機構は、前記駆動歯車を支持する駆動軸と、前記駆動軸の両端を回転自在に支持する一対の支持板と、前記駆動歯車に摩擦抵抗力を付勢する揺動押さえばねとにより構成され、前記一対の支持板に、前記駆動軸の径方向への揺動を許容する長孔が形成されていることを特徴とする。
【００１３】
このように構成することで、簡素な構造で駆動歯車を揺動させることができる。
【００１４】
本発明に係る表示機構は、前記作動カムの前記カム面は、前記作動カムの回転中心から外周方向へ向かう半径が、最小値から最大値の間の値をとって、円周方向に連続して変化するように形成されており、この連続して変化する面を前記作動面とすると共に、前記段差面を前記作動面の最大値と最小値とを結ぶ面としたことを特徴とする。
【００１５】
このように構成することで、カム従節をスムーズに往復運動させることができる。
【００１６】
本発明に係る表示機構は、前記駆動歯車は、２４時間車、及び曜回し爪であり、前記従動歯車は、曜伝え車であり、前記指示部は、曜日を表示するように構成され、前記曜伝え車の回転を規制する曜ジャンパを備えたことを特徴とする。
【００１７】
このように、曜日を表示する表示機構に、好適に用いることができる。
【００１８】
本発明に係る時計用ムーブメントは、表示機構と、前記駆動歯車を駆動させる動力部とを備えたことを特徴とする。
【００１９】
このように構成することで、精度よく調整することができ、且つ部品の損傷を防止可能な時計用ムーブメントを提供できる。
【００２０】
本発明に係る機械式時計は、時計用ムーブメントを備えたことを特徴とする。
【００２１】
このように構成することで、精度よく調整することができ、且つ部品の損傷を防止可能な機械式時計を提供できる。
【発明の効果】
【００２２】
本発明によれば、駆動歯車や従動歯車の剛性を弱めることなく、従動歯車の他方向への回転を抑制することができる。このため、作動カムの回転位置を精度よく調整することができると共に、駆動歯車や従動歯車の損傷を防止することができる。
【図面の簡単な説明】
【００２３】
【図１】本発明の実施形態における機械式時計のコンプリート表側の平面図である。
【図２】本発明の実施形態における曜レトログラード表示機構の平面図である。
【図３】本発明の実施形態における曜レトログラード表示機構の断面図である。
【図４】本発明の実施形態における２４時間車、及び曜回し爪の挙動を示す説明図である。
【発明を実施するための形態】
【００２４】
（機械式時計）
次に、この発明の実施形態を図面に基づいて説明する。
図１は、本発明に係る時計の一例である機械式時計のコンプリート表側の平面図である。尚、以下の説明において、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうち、時計ケースのガラスのある方の側、すなわち、文字板のある方の側をムーブメントの「裏側」又は「カバーガラス側」又は「文字板側」と称する。地板の両側のうち、時計ケースの裏蓋のある方の側、すなわち、文字板と反対の側をムーブメントの「表側」又は「裏蓋側」と称する。
【００２５】
図１に示すように、機械式時計１のコンプリート１ａは、ケース本体３ａ、不図示の裏蓋、及びカバーガラス３ｂからなる時計ケース３内に、ムーブメント１００と、時刻に関する情報を示す目盛り２ａ、及び３時側に配置され曜日に関する情報を示す曜レトログラード表示領域５を有する文字板２と、時を示す時針４ａ、分を示す分針４ｂおよび秒を示す秒針４ｃを含む針４と、曜日を示す曜針６とが設けられている。
【００２６】
また、時計ケース３の側面には、３時側に竜頭７が設けられている。竜頭７は、時計ケース３の外側からムーブメント１００を操作するためのものであって、時計ケース３の３時側の側面から時計ケース３内に挿通された巻真８と一体化されている。巻真８は、時計ケース３対して軸心回りに回転可能に設けられている。巻真８の竜頭７とは反対側に、ムーブメント１００が連係されており、竜頭７を回転させることにより、時刻の表示（時及び分の表示）や曜日の表示を修正できるようになっている。
【００２７】
ムーブメント１００は、このムーブメント１００の基板を構成する第二輪列受１２０（図３参照）の表側に、てんぷ、がんぎ車、アンクル等を含む不図示の脱進・調速機構と、四番車、三番車、二番車及び香箱車を含む不図示の表輪列とが、少なくとも配置されたものである。また、ムーブメント１００には、文字板２の曜レトログラード表示領域５に設けられた曜針６を運針させる曜レトログラード表示機構１０が設けられている。
【００２８】
ここで、曜レトログラード表示領域５は、１時から５時に至る間に拡がる略扇形の表示領域であって、月曜日（ＭＯＮ）から日曜日（ＳＵＮ）までの曜日を示す目盛り５ａ、及び文字５ｂが５時側から１時側に向かって順番に付されている。そして、曜針６は、曜レトログラード表示機構１０によって、月曜日から日曜日に向かって順に正転回動し、日曜日を指した後、再び月曜日まで瞬時に反転回動するように動作する。
【００２９】
（曜レトログラード機構）
図２は、曜レトログラード表示機構の平面図、図３は、曜レトログラード表示機構の断面図である。
図２、図３に示すように、曜レトログラード表示機構１０は、時針４ａが取り付けられている筒車１１に外嵌固定され、筒車１１と一体となって回転する中間歯車１２を有している。この中間歯車１２は、曜レトログラード表示機構１０を駆動するための通常運針輪列の歯車としての役割を有している。
【００３０】
中間歯車１２には、２４時間車１３が噛合されている。２４時間車１３には、この２４時間車１３と同心円上に重なるように、曜回し爪１４が設けられている。曜回し爪１４は、略円板状の回転体１６と、この回転体１６の外周面に形成された２つの爪部１６ａ，１６ｂとが一体成形されたものである。２つの爪部１６ａ，１６ｂは、後述の曜伝え車１７の歯部１７ａに噛合い、曜伝え車１７を所定角度だけ回転させるためのものである。
【００３１】
また、２４時間車１３、及び曜回し爪１４は、それぞれ軸部１５に外嵌固定され、一体的に回転するようになっている。軸部１５の両端には、それぞれほぞ１５ａ，１５ｂが突設されている。これらほぞ１５ａ，１５ｂが、それぞれ第二輪列受１２０と、第二地板１３０とに回転自在に支持されている。
【００３２】
ここで、第二輪列受１２０、及び第二地板１３０には、それぞれ軸部１５のほぞ１５ａ，１５ｂを回転自在に支持可能な長孔１２０ａ，１３０ａが形成されている。これら長孔１２０ａ，１３０ａは、その中心線Ｌ１が中間歯車１２の回転中心Ｃ１を中心とした円弧上に沿うように形成されている。これにより、２４時間車１３、及び曜回し爪１４は、中間歯車１２の回転中心Ｃ１を中心に揺動可能に構成される。
【００３３】
また、各長孔１２０ａ，１３０ａの長さＷ１は、２４時間車１３、及び曜回し爪１４が揺動することにより、曜回し爪１４の２つの爪部１６ａ，１６ｂと曜伝え車１７の歯部１７ａとが噛合されたり、噛合いが解除されたりできる長さに設定されている。
すなわち、図２において、曜伝え車１７の回転中心Ｃ２は、２４時間車１３、及び曜回し爪１４の回転中心Ｃ３と中間歯車１２の回転中心Ｃ１とを結ぶ直線Ｌ２よりも右側に位置しており、２４時間車１３、及び曜回し爪１４が右側に変位したとき、曜回し爪１４の２つの爪部１６ａ，１６ｂと曜伝え車１７の歯部１７ａとが噛合される。これに対し、２４時間車１３、及び曜回し爪１４が左側に変位したとき、曜回し爪１４の２つの爪部１６ａ，１６ｂと曜伝え車１７の歯部１７ａとの噛合が解除される。
【００３４】
さらに、曜回し爪１４には、揺動押さえばね４１が付勢されている。この揺動押さえばね４１の摩擦抵抗力により、軸部１５が第二輪列受１２０、及び第二地板１３０の長孔１２０ａ，１３０ａに回転自在に支持されていてもガタつかないようになっている。尚、揺動押さえばね４１による摩擦抵抗力は、曜回し爪１４に過度な回転負荷がかからない程度に設定されている。
【００３５】
また、曜回し爪１４の２つの爪部１６ａ，１６ｂに噛合い可能な曜伝え車１７は、軸部１８に固定されており、その歯部１７ａは、１４枚の歯により構成されている。
軸部１８は、軸本体１９と、この軸本体１９の両端に突設されたほぞ２０ａ，２０ｂとが一体成形されたものである。軸本体１９は、軸方向略中央に段差により拡径形成された拡径部１９ａと、この拡径部１９ａよりも第二地板１３０側（図３における下側）に形成されたフランジ部１９ｂとを有している。そして、拡径部１９ａに曜伝え車１７が外嵌固定されている。曜伝え車１７は、フランジ部１９ｂにより軸方向の位置決めが行われている。
【００３６】
また、軸本体１９には、拡径部１９ａの段差面１９ａ１に接触するように曜レトログラード作動カム（以下、単に作動カムという）２１が外嵌固定されている。作動カム２１の外周面、つまり、カム面２２は、正転方向Ｙ１（図２における時計回り方向）に回転したとき、その回転中心Ｃ２から外周方向に向かう半径が漸次大きくなるように滑らかに形成された渦巻き状の作動面２２ａと、作動面２２ａにおける回転中心Ｃ２からの半径が最小となる位置Ｐ１と最大となる位置Ｐ２とを結ぶ段差面２２ｂとにより構成されている。また、段差面２２ｂは、軸部１８の径方向よりもやや接線方向に沿うように延在している。
【００３７】
このように構成された曜伝え車１７、及び作動カム２１が固定されている軸部１８は、この軸部１８のほぞ２０ａ，２０ｂが、それぞれ第二輪列受１２０に設けられた軸受部１２１と第二地板１３０に設けられた軸受部１３１とに回転自在に支持されている。軸受部１２１は、第二輪列受１２０に内嵌固定されている穴石１２２を有している。また、軸受部１３１は、第二地板１３０に内嵌固定されているほぞ枠１３２を有している。穴石１２２は、例えば、ルビーなどの透明材料により略円板状に形成されたものである。ほぞ枠１３２は、金属材料により略円板状に形成されたものである。これら穴石１２２、及びほぞ枠１３２の各々径方向略中央には、対応するほぞ２０ａ，２０ｂを挿通可能な挿通孔１２２ａ，１３２ａが形成されている。これにより、曜伝え車１７、及び作動カム２１が一体となって回転する。
【００３８】
曜伝え車１７の歯部１７ａには、曜ジャンパ３２が係合されている。曜ジャンパ３２は、曜伝え車１７の回転位置を規制するためのものであって、第二輪列受１２０に曜ジャンパ３２を固定するための固定部３２ａと、固定部３２ａから曜伝え車１７に向かって延出し、弾性変形可能に形成されたアーム部３２ｂと、アーム部３２ｂの先端に設けられ、曜伝え車１７の歯部１７ａに係合される規制部３２ｃとが一体成形されたものである。
【００３９】
アーム部３２ｂは、この先端に一体形成された規制部３２ｃを、曜伝え車１７側に向かって付勢するように形成されている。また、規制部３２ｃは、曜伝え車１７の周方向に隣接する２つの歯部１７ａの間に介在可能なように、曜伝え車１７の回転中心Ｃ２方向に向かって先細りとなるように先細り部３２ｃ１が形成されている。これにより、曜伝え車１７の歯部１７ａに曜ジャンパ３２が係合される。
【００４０】
一方、作動カム２１のカム面２２には、作動レバー２３が接触している。作動レバー２３は、平面視略扇状に形成された本体部２４を有している。本体部２４の先端側、つまり、外周面側には、歯部２４ａが形成されている。また、本体部２４の先端側には、作動カム２１側に向かって延出するアーム状のカム従節２５が一体形成されている。このカム従節２５の先端が作動カム２１のカム面２２に接触するようになっている。すなわち、カム従節２５の先端が、カム面２２との接触点Ｐ３となる。
【００４１】
また、本体部２４の基端側には、軸部２６が圧入されている。軸部２６は、軸本体２７と、この軸本体２７の両端に突設されたほぞ２８ａ，２８ｂとが一体成形されたものである。軸本体２７は、軸方向略中央に段差により拡径形成された拡径部２７ａと、この拡径部２７ａよりも第二地板１３０側（図３における下側）に形成されたフランジ部２７ｂとを有している。そして、拡径部２７ａに作動レバー２３が外嵌固定されている。作動レバー２３は、フランジ部２７ｂにより軸方向の位置決めが行われている。
【００４２】
また、第二輪列受１２０、及び第二地板１３０の軸部２６に対応する箇所には、それぞれ軸部２６のほぞ２８ａ，２８ｂを挿通可能な挿通孔１２０ｂ，１３０ｂが形成されている。これら挿通孔１２０ｂ，１３０ｂによって、第二輪列受１２０、及び第二地板１３０に、軸部２６が回転自在に支持された状態になる。
【００４３】
作動レバー２３の歯部２４ａには、曜表示車２９が噛合されている。曜表示車２９は、軸部３０と一体化されている。軸部３０の両端には、それぞれほぞ３０ａ，３０ｂが突設されている。これらほぞ３０ａ，３０ｂは、それぞれ第二輪列受１２０に設けられた軸受部１２３と第二地板１３０に設けられた軸受部１３３とに回転自在に支持されている。軸受部１２１は、第二輪列受１２０に内嵌固定されている穴石１２４を有している。
【００４４】
この穴石１２４も、例えば、ルビーなどの透明材料により略円板状に形成されたものであって、径方向略中央にほぞ３０ａを挿通可能な挿通孔１２４ａが形成されている。これによって、第二輪列受１２０にほぞ３０ａが回転自在に支持される。
一方、第二地板１３０に設けられた軸受部１３３は、第二地板１３０にほぞ３０ｂを挿通可能な挿通孔１３３ａを形成し、軸受部１３３として機能させている。これにより、第二地板１３０にほぞ３０ｂが回転自在に支持される。
【００４５】
また、軸部３０には、第二輪列受１２０側のほぞ３０ａの先端に、曜針６が設けられている。すなわち、曜針６は、軸部３０を介して曜表示車２９と一体となって回転するようになっている。
さらに、軸部３０には、曜表示車２９よりも第二地板１３０側にぜんまいばね３１が設けられている。ぜんまいばね３１により、曜表示車２９が、作動レバー２３を作動カム２１側に向かって回転させる方向に付勢されている。すなわち、図２において、曜表示車２９は、ぜんまいばね３１によって矢印Ｙ２方向（反時計回り方向）に向かって回転するように付勢されている。
【００４６】
（曜レトログラード表示機構の動作）
次に、図２〜図４に基づいて、曜レトログラード表示機構１０の動作について説明する。
図４は、曜レトログラード表示機構を構成する２４時間車、及び曜回し爪の挙動を示す説明図であって、図２に対応している。
まず、図２、図３に基づいて、２４時間車１３、及び曜回し爪１４の回転方向が、作動カム２１を正転方向Ｙ１（図２における時計回り方向）に回転させる方向となる場合、つまり、２４時間車１３が図２における反時計回り方向（矢印Ｙ４参照）に向かって回転し、機械式時計１が通常運針される場合について説明する。
【００４７】
図２、図３に示すように、通常運針時には、時針４ａが取り付けられている筒車１１が図２における時計回り方向（矢印Ｙ３参照）に向かって回転し、筒車１１に噛合されている２４時間車１３が矢印Ｙ４方向に向かって回転する。
このとき、２４時間車１３の筒車１１と噛合されている箇所（図２におけるＡｒ１部参照）には、図２における右向きの力Ｆ１が作用するので、２４時間車１３が外嵌固定されている軸部１５のホゾ１５ａ，１５ｂが、それぞれ第二輪列受１２０に形成されている長孔１２０ａ、及び第二地板１３０に形成されている長孔１３０ａの右側に移動する。換言すれば、図２において、２４時間車１３、及び曜回し爪１４は、曜伝え車１７に近づく方向である右側に変位する。
【００４８】
この状態で、２４時間車１３が矢印Ｙ４方向に向かって回転し続けると、曜回し爪１４の２つの爪部１６ａ，１６ｂが、ぞれぞれ曜伝え車１７の歯部１７ａに噛合される。
ここで、２４時間車１３、及び曜回し爪１４は、２４時間で１回転するので、２４時間経過すると、曜回し爪１４の２つの爪部１６ａ，１６ｂによって、曜伝え車１７が２歯分回転する。曜伝え車１７の歯部１７ａは、１４枚の歯により構成されているので、曜伝え車１７は、１週間で１回転することになる。
【００４９】
曜伝え車１７が回転すると、この曜伝え車１７の歯部１７ａに係合されている曜ジャンパ３２の規制部３２ｃが、アーム部３２ｂの弾性力に抗し、歯部１７ａの歯先に乗り上げられる。そして、曜伝え車１７が２歯分（１日分）回転したところで、再び曜伝え車１７の歯部１７ａの間に規制部３２ｃが係合される。このように構成することで、曜回し爪１４の２つの爪部１６ａ，１６ｂと、曜伝え車１７の歯部１７ａとが噛合されていない際、曜伝え車１７のガタツキを抑制できる。
【００５０】
また、曜伝え車１７が回転すると、これと一体化されている作動カム２１が回転する。すると、作動カム２１のカム面２２に接触している作動レバー２８が軸部２６を中心にして回動する。そして、作動レバー２８の歯部２４ａに噛合される曜表示車２９が回転する。曜表示車２９が回転することにより、この曜表示車２９と一体となって回転する曜針６が、文字板２の曜レトログラード表示領域５上の目盛り５ａの月曜日（ＭＯＮ）から日曜日（ＳＵＮ）まで順に運針される。
【００５１】
より具体的には、曜針６が曜レトログラード表示領域５上の目盛り５ａの月曜日（ＭＯＮ）を指す状態にあるとき、作動カム２１のカム面２２を構成する作動面２２ａのうち、回転中心Ｃ２からの半径が最小となる位置Ｐ１とほぼ同位置に、カム従節２５の接触点Ｐ３が位置している。
ここで、作動面２２ａは、正転方向Ｙ１（図２における時計回り方向）に回転したとき、その回転中心Ｃ２から外周方向に向かう半径が漸次大きくなるように滑らかに形成されている。このため、作動カム２１が正転方向Ｙ１に回転すると、回転中心Ｃ２から接触点Ｐ３が離間する方向に向かって変位する。すなわち、作動レバー２３が軸部２６を中心にして、図２における反時計回り方向（矢印Ｙ５参照）に向かって回動する。
【００５２】
すると、作動レバー２３の歯部２４ａに噛合される曜表示車２９が、ぜんまいばね３１のばね力に抗し、図２における時計回り方向（矢印Ｙ６参照）に向かって回転する。そして、曜針６が曜レトログラード表示領域５上の目盛り５ａの日曜日（ＳＵＮ）を指す状態にあるとき、作動カム２１のカム面２２を構成する作動面２２ａのうち、回転中心Ｃ２からの半径が最大となる位置Ｐ２とほぼ同位置に、カム従節２５の接触点Ｐ３が位置する。
【００５３】
この状態から、さらに作動カム２１が回転すると、作動レバー２３のカム従節２５が作動カム２１のカム面２２を構成する段差面２２ｂに移動する。
ここで、段差面２２ｂは、作動面２２ａにおける回転中心Ｃ２からの半径が最小となる位置Ｐ１と最大となる位置Ｐ２とを結ぶように形成されている。これに加え、曜表示車２９を支持する軸部３０に作用するぜんまいばね３１の復元力が作用し、再び作動面２２ａのうち、回転中心Ｃ２からの半径が最小となる位置Ｐ１とほぼ同位置に、カム従節２５の接触点Ｐ３が位置するように、作動レバー２３が速やかに図２における時計回り方向（矢印Ｙ７参照）に向かって回転する。
【００５４】
これにより、再び、曜針６が曜レトログラード表示領域５上の目盛り５ａの月曜日（ＭＯＮ）を指す。このように、カム従節２５が軸部２６を中心にして往復動することにより、曜針６が、曜レトログラード表示領域５上の目盛り５ａの月曜日（ＭＯＮ）から日曜日（ＳＵＮ）の間を往復動するようになっている。
尚、上述の動作は、時刻を調整すべく、２４時間車１３、及び曜回し爪１４を正転方向Ｙ１に向かって回転させるように、竜頭７を操作する場合も同様である。
【００５５】
次に、図３、図４に基づいて、例えば、時刻を調整するために竜頭７等を操作し、２４時間車１３、及び曜回し爪１４の回転方向を、作動カム２１を逆転方向Ｙ１’（図４おける反時計回り方向）に回転させる方向とした場合、つまり、２４時間車１３が図４における時計回り方向（矢印Ｙ９参照）に向かって回転される場合について説明する。
【００５６】
このような場合、図３、図４に示すように、筒車１１が図４における反時計回り方向（矢印Ｙ８参照）に向かって回転し、筒車１１に噛合されている２４時間車１３が矢印Ｙ９方向に向かって回転する。
このとき、２４時間車１３の筒車１１と噛合されている箇所（図４におけるＡｒ２部参照）には、図４における左向きの力Ｆ２が作用するので、２４時間車１３が外嵌固定されている軸部１５のホゾ１５ａ，１５ｂが、それぞれ第二輪列受１２０に形成されている長孔１２０ａ、及び第二地板１３０に形成されている長孔１３０ａの左側に移動する。換言すれば、図４において、２４時間車１３、及び曜回し爪１４は、曜伝え車１７から離れる方向である左側に変位する。
【００５７】
ここで、第二輪列受１２０に形成されている長孔１２０ａ、及び第二地板１３０に形成されている長孔１３０ａのそれぞれの長さＷ１（図２参照）は、２４時間車１３、及び曜回し爪１４が揺動することにより、曜回し爪１４の２つの爪部１６ａ，１６ｂと曜伝え車１７の歯部１７ａとが噛合されたり、噛合いが解除されたりできる長さに設定されている。すなわち、２４時間車１３、及び曜回し爪１４が、曜伝え車１７から離れる方向である左側に変位することにより、２４時間車１３が矢印Ｙ９方向に向かって回転し続けた場合であっても、曜回し爪１４の２つの爪部１６ａ，１６ｂと曜伝え車１７の歯部１７ａとが噛合うことがない。
【００５８】
そして、この状態は、曜回し爪１４に、揺動押さえばね４１による摩擦抵抗力が付勢されることにより維持される。このため、曜伝え車１７、及び作動カム２１が逆転方向Ｙ１’に回転してしまうことが防止される。
すなわち、２４時間車１３、及び曜回し爪１４を支持する軸部１５と、この軸部１５を回転自在に支持し、長孔１２０ａ，１３０ａが形成されている第二輪列受１２０、及び第二地板１３０と、曜回し爪１４を付勢する揺動押さえばね４１は、曜伝え車１７、及び作動カム２１の逆転方向Ｙ１’への回転を抑制するための抑制機構５０として機能している。
【００５９】
（効果）
したがって、上述の実施形態によれば、曜伝え車１７（作動カム２１）の逆転方向Ｙ１’への回転を防止するために、従来のように、曜回し爪１４や曜伝え車１７の剛性を弱める必要がなく、作動カム２１の回転位置を精度よく調整することができると共に、曜回し爪１４、曜伝え車１７、作動レバー２３の損傷を防止することができる。
【００６０】
また、第二輪列受１２０に長孔１２０ａを形成すると共に、第二地板１３０に長孔１３０ａを形成することにより２４時間車１３、及び曜回し爪１４を揺動可能に構成し、これによって、曜回し爪１４の２つの爪部１６ａ，１６ｂと曜伝え車１７の歯部１７ａとが噛合されたり、噛合いが解除されたりするように構成されている。このため、簡素な構造で、且つ容易に曜伝え車１７、及び作動カム２１の逆転方向Ｙ１’への回転を防止できる。
【００６１】
さらに、作動カム２１のカム面２２が、正転方向Ｙ１に回転したとき、その回転中心Ｃ２から外周方向に向かう半径が漸次大きくなるように滑らかに形成された渦巻き状の作動面２２ａと、作動面２２ａにおける回転中心Ｃ２からの半径が最小となる位置Ｐ１と最大となる位置Ｐ２とを結ぶ段差面２２ｂとにより構成されている。このため、カム従節２５を、軸部２６を中心にしてスムーズに往復動させることができると共に、曜針６を、曜レトログラード表示領域５上の目盛り５ａの月曜日（ＭＯＮ）から日曜日（ＳＵＮ）の間をスムーズに往復動させることができる。
【００６２】
尚、本発明は上述の実施形態に限られるものではなく、本発明の趣旨を逸脱しない範囲において、上述の実施形態に種々の変更を加えたものを含む。
例えば、上述の実施形態では、機械式時計１の文字板２の１時から５時に至る間に、曜日に関する情報を示す略扇形の曜レトログラード表示領域５を設けた場合について説明した。しかしながら、これに限られるものではなく、文字板２の１時から５時に至る間以外の領域に曜レトログラード表示領域５を設けてもよい。
【００６３】
また、上述の実施形態では、曜レトログラード表示領域５の目盛り５ａを指す曜針６を往復動させる曜レトログラード表示機構１０を設けた場合について説明した。しかしながら、これに限られるものではなく、さまざまな情報を表示するレトログラード表示機構に、上述の実施形態を適用することが可能である。例えば、文字板２に、３１日毎に針を往復動させるための日レトログラード表示領域を設けると共に、この日レトログラード表示領域の目盛りを指す針を往復動させる日レトログラード表示機構を設けたり、文字板２に、週に関する情報を示す週レトログラード表示領域を設けると共に、この週レトログラード表示領域の目盛りを指す針を往復動させる週レトログラード表示機構を設けたりして、これら日レトログラード表示機構や週レトログラード表示機構に上述の実施形態を適用することも可能である。
【００６４】
さらに、上述の実施形態では、曜回し爪１４に２つの爪部１６ａ，１６ｂを設けると共に、曜伝え車１７の歯部１７ａを１４枚の歯により構成した場合について説明した。しかしながら、これに限られるものではなく、曜日を繰り返し表示可能な構成であればよい。例えば、曜回し爪１４に１つの爪部を設けると共に、曜伝え車１７の歯部を７枚の歯により構成し、曜伝え車１７が１週間で１回転するように構成してもよい。
【００６５】
そして、上述の実施形態では、作動カム２１のカム面２２が、正転方向Ｙ１（図２における時計回り方向）に回転したとき、その回転中心Ｃ２から外周方向に向かう半径が漸次大きくなるように滑らかに形成された渦巻き状の作動面２２ａと、作動面２２ａにおける回転中心Ｃ２からの半径が最小となる位置Ｐ１と最大となる位置Ｐ２とを結ぶ段差面２２ｂとにより構成されている場合について説明した。しかしながら、これに限られるものではなく、作動カム２１によって、作動レバー２３が各曜日を繰り返し表示可能なようにカム面２２が形成されていればよい。すなわち、カム面に複数の段差面が形成されていてもよい。
【００６６】
また、上述の実施形態では、第二輪列受１２０、及び第二地板１３０に、それぞれ軸部１５を揺動可能にする長孔１２０ａ，１３０ａを形成した場合について説明した。そして、これら長孔１２０ａ，１３０ａは、その中心線Ｌ１が中間歯車１２の回転中心Ｃ１を中心とした円弧上に沿うように形成されている場合について説明した。しかしながら、長孔１２０ａ，１３０ａの形状はこれらに限られるものではなく、２４時間車１３、及び曜回し爪１４が揺動することにより、曜回し爪１４の２つの爪部１６ａ，１６ｂと曜伝え車１７の歯部１７ａとが噛合されたり、噛合いが解除されたりできる形状であればよい。
【００６７】
さらに、上述の実施形態では、２４時間車１３と曜回し爪１４とが軸部１５を介して同軸上に配置されている場合について説明した。また、曜伝え車１７と作動カム２１とが軸部２６を介して同軸上に配置されている場合について説明した。しかしながら、これに限られるものではなく、２４時間車１３の回転に伴って曜回し爪１４が回転するように構成されていればよく、また、曜伝え車１７の回転に伴って作動カム２１が回転するように構成されていればよい。
【符号の説明】
【００６８】
１  機械式時計
５  曜レトログラード表示領域（表示部）
６  曜針（表示部）
１０  曜レトログラード表示機構（表示機構）
１１  筒車（動力部）
１３  ２４時間車
１４  曜回し爪
１５  軸部（駆動軸）
１７  曜伝え車（従動軸）
２１  曜レトログラード作動カム（作動カム）
２２  カム面
２２ａ  作動面
２２ｂ  段差面
２５  カム従節
３２  曜ジャンパ
４１  揺動押さえばね
５０  抑制機構
１００  ムーブメント（動力部、時計用ムーブメント）
１２０  第二輪列受（支持板）
１２０ａ，１３０ａ  長孔
１３０  第二地板（支持板）
Ｃ１，Ｃ２，Ｃ３  回転中心
Ｐ３  接触点
Ｙ１  正転方向（一方向）
Ｙ１’  逆転方向（他方向）
【図１】
2014062784.tif 000003
【図２】
2014062784.tif 000004
【図３】
2014062784.tif 000005
【図４】
2014062784.tif 000006